(57)【要約】【課題】記録されたビデオ信号が持つ本来の色を再生装置において忠実に再現し得るように当該ビデオ信号を記録媒体に記録する。【解決手段】ユーザは、記録されるビデオ信号の色空間として、ｓＲＧＢ色空間または拡張ｓＲＧＢ色空間のいずれかを指定できる。信号処理部１３１は、指定された色空間に対応したビデオ信号（輝度信号Ｙおよび色差信号Cb/Cr）を生成する。エンコード／デコード部１３２は、このビデオ信号を、MPEG4-AVC規格でデータ圧縮し、記録媒体１３５に記録する圧縮ビデオ信号を生成する。ＣＰＵ１２１は、ユーザが指定した色空間を示す情報を含む色空間識別子を生成し、この色空間識別子が格納されたSEI NALユニットを、圧縮ビデオ信号における、SPS NALユニットを含むアクセスユニットに含めるようにする。記録媒体１３５に記録されるビデオ信号は、そのビデオ信号の色空間の情報を持つ色空間識別子が付加されたものとなる。【選択図】図１
2008136025.tif 000002
【特許請求の範囲】
【請求項１】
撮像ビデオ信号を処理して所定色空間に対応したビデオ信号を得るビデオ信号処理部と、
前記所定色空間を示す情報を含む色空間識別子を生成する色空間識別子生成部と、
前記ビデオ信号処理部で得られた前記ビデオ信号と、前記色空間識別子生成部で生成された前記色空間識別子とを記録媒体に対応付けて記録する記録部とを備え、
前記記録媒体には、前記ビデオ信号が複数のアクセスユニットで構成されるビデオストリーム形式で記録され、
前記色空間識別子は、前記所定のアクセスユニットに対応付けされる
ことを特徴とする記録装置。
【請求項２】
複数の色空間から前記所定色空間を選択する色空間選択部をさらに備える
ことを特徴とする請求項１に記載の記録装置。
【請求項３】
前記色空間識別子生成部で生成される色空間識別子には、前記色空間を示す情報と共に、前記ビデオ信号の色域に関する情報が含まれる
ことを特徴とする請求項１に記載の記録装置。
【請求項４】
前記色空間識別子生成部は、
前記ビデオ信号の色域に関する情報を記憶した記憶部を有し、
前記色空間識別子に含める前記ビデオ信号の色域に関する情報を前記記憶部から読み出して得る
ことを特徴とする請求項３に記載の記録装置。
【請求項５】
前記色空間識別子生成部は、前記ビデオ信号の所定位置に、前記色空間識別子を生成し、
前記記録部は、前記ビデオ信号の前記所定位置に、前記ビデオ信号と前記色空間識別子生成部で生成された前記色空間識別子とを前記記録媒体に対応付けて記録する
ことを特徴とする請求項１に記載の記録装置。
【請求項６】
前記記録部は、前記ビデオ信号処理部で得られたビデオ信号を、当該ビデオ信号に複数のアクセスユニットが連続したストリーム構成を得るための所定のデータ圧縮処理を施して記録し、
前記色空間識別子生成部は、前記データ圧縮処理後における前記ビデオ信号のストリームを構成する各アクセスユニットに対応して、前記色空間識別子を生成する
ことを特徴とする請求項５に記載の記録装置。
【請求項７】
前記記録部は、前記ビデオ信号処理部で得られたビデオ信号を、当該ビデオ信号に複数のアクセスユニットが連続したストリーム構成を得るための所定のデータ圧縮処理を施して記録し、
前記色空間識別子生成部は、前記データ圧縮処理後における前記ビデオ信号のストリームを構成する各アクセスユニットのうち、間欠的に配置されている所定のアクセスユニットに対応して、前記色空間識別子を生成する
ことを特徴とする請求項５に記載の記録装置。
【請求項８】
前記記録部は、前記ビデオ信号処理部で得られたビデオ信号を、当該ビデオ信号に、複数のアクセスユニットが連続したストリーム構成を得ると共に、所定数の前記アクセスユニットにより構成されるシーケンス毎に当該シーケンスの色情報を含むシーケンスパラメータセットを有する構成とするための所定のデータ圧縮処理を施して記録し、
前記色空間識別子生成部は、前記データ圧縮処理後における前記ビデオ信号のストリームを構成する各アクセスユニットのうち、前記シーケンスパラメータセットを含むアクセスユニットに対応して、前記色空間識別子を生成する
ことを特徴とする請求項５に記載の記録装置。
【請求項９】
前記所定のデータ圧縮処理部は、ＭＰＥＧ４−ＡＶＣ規格のデータ圧縮処理を行うデータ圧縮処理部であり、
前記シーケンスパラメータセットを含むアクセスユニットは、前記シーケンスパラメータセットのＮＡＬユニットを含むアクセスユニットである
ことを特徴とする請求項８に記載の記録装置。
【請求項１０】
前記色空間識別子生成部は、
前記色空間選択部で特定の色空間が選択されるときには、前記色空間識別子を生成しない
ことを特徴とする請求項２に記載の記録装置。
【請求項１１】
前記記憶媒体に記憶された前記ビデオ信号および前記色空間識別子をネットワークに送出するネットワークインタフェースをさらに備え、
前記色空間識別子生成部は、前記ネットワークインタフェースの出力形態に適合した形式で前記色空間識別子を生成する
ことを特徴とする請求項１に記載の記録装置。
【請求項１２】
前記記録媒体に記録された前記ビデオ信号および前記色空間識別子を再生する再生部と、
前記再生部により再生された前記色空間識別子に基づいて、前記再生部により再生される前記ビデオ信号に対応する前記色空間の情報を表示する表示部とをさらに備える
ことを特徴とする請求項１に記載の記録装置。
【請求項１３】
撮像ビデオ信号を処理して所定色空間に対応したビデオ信号を得るビデオ信号処理ステップと、
前記所定色空間を示す情報を含む色空間識別子を生成する色空間識別子生成ステップと、
前記ビデオ信号処理ステップで得られた前記ビデオ信号と、前記色空間識別子生成ステップで生成された前記色空間識別子とを記録媒体に対応付けて記録する記録ステップとを備え、
前記記録媒体には、前記ビデオ信号が複数のアクセスユニットで構成されるビデオストリーム形式で記録され、
前記色空間識別子は、前記所定のアクセスユニットに対応付けされる
ことを特徴とする記録方法。
【請求項１４】
撮像ビデオ信号を処理してビデオ信号を記録媒体に記録する記録処理部と、前記記録媒体に記録されているビデオ信号を再生してネットワークに送出する再生処理部とを有する記録装置において、
前記記録処理部は、
前記撮像ビデオ信号を処理して所定色空間に対応したビデオ信号を得るビデオ信号処理部と、
前記所定色空間を示す情報を含む色空間識別子を生成する色空間識別子生成部と、
前記ビデオ信号処理部で得られた前記ビデオ信号と、前記色空間識別子生成部で生成された前記色空間識別子とを記録媒体に対応付けて記録する記録部とを備え、
前記記録媒体には、前記ビデオ信号が複数のアクセスユニットで構成されるビデオストリーム形式で記録され、
前記色空間識別子は、前記所定のアクセスユニットに対応付けされ、
前記再生処理部は、
前記記録媒体に記録されている前記ビデオ信号および前記色空間識別子を再生する再生部と、
前記再生部で再生された前記ビデオ信号および前記色空間識別子を前記ネットワークに送出するネットワークインタフェースとを備える
ことを特徴とする記録装置。
【請求項１５】
被写体を撮像して撮像ビデオ信号を出力する撮像部と、前記撮像ビデオ信号を処理してビデオ信号を記録媒体に記録する記録処理部と、前記記録媒体に記録されているビデオ信号を再生してネットワークに送出する再生処理部とを有する撮像装置において、
前記記録処理部は、
前記撮像ビデオ信号を処理して所定色空間に対応したビデオ信号を得るビデオ信号処理部と、
前記所定色空間を示す情報を含む色空間識別子を生成する色空間識別子生成部と、
前記ビデオ信号処理部で得られた前記ビデオ信号と、前記色空間識別子生成部で生成された前記色空間識別子とを記録媒体に対応付けて記録する記録部とを備え、
前記記録媒体には、前記ビデオ信号が複数のアクセスユニットで構成されるビデオストリーム形式で記録され、
前記色空間識別子は、前記所定のアクセスユニットに対応付けされ、
前記再生処理部は、
前記記録媒体に記録されている前記ビデオ信号および前記色空間識別子を再生する再生部と、
前記再生部で再生された前記ビデオ信号および前記色空間識別子を前記ネットワークに送出するネットワークインタフェースとを備える
ことを特徴とする撮像装置。
【請求項１６】
所定色空間に対応したビデオ信号が複数のアクセスユニットで構成されるビデオストリーム形式で記録されると共に、前記所定色空間を示す情報を含む色空間識別子が前記所定のアクセスユニットに対応付けて記録されている記録媒体を扱う再生装置において、
前記記録媒体に記録されている前記ビデオ信号および前記色空間識別子を再生する再生部と、
前記再生部で再生された前記ビデオ信号および前記色空間識別子をネットワークに送出するネットワークインタフェースと
を備えることを特徴とする再生装置。
【請求項１７】
記録装置と再生装置とを有するビデオシステムにおいて、
前記記録装置は、
撮像ビデオ信号を処理して所定色空間に対応したビデオ信号を得るビデオ信号処理部と、
前記所定色空間を示す情報を含む色空間識別子を生成する色空間識別子生成部と、
前記ビデオ信号処理部で得られた前記ビデオ信号と、前記色空間識別子生成部で生成された前記色空間識別子とを記録媒体に対応付けて記録する記録部とを備え、
前記記録媒体には、前記ビデオ信号が複数のアクセスユニットで構成されるビデオストリーム形式で記録され、
前記色空間識別子は、前記所定のアクセスユニットに対応付けされ、
前記再生装置は、
前記記録媒体に記録されている前記ビデオ信号および前記色空間識別子を再生する再生部と、
前記再生部で再生された前記ビデオ信号および前記色空間識別子をネットワークに送出するネットワークインタフェースとを備える
ことを特徴とするビデオシステム。
【発明の詳細な説明】
【技術分野】
【０００１】
この発明は、撮像ビデオ信号を記録媒体に記録する記録装置、記録方法、撮像装置、再生装置およびビデオシステムに関する。詳しくは、この発明は、撮像ビデオ信号を処理して得られた所定色空間に対応したビデオ信号を記録媒体に記録する際、当該所定色空間を示す情報を含む色空間識別子を生成し、当該色空間識別子をビデオ信号と対応付けて記録媒体に記録することにより、記録されたビデオ信号が持つ本来の色を再生装置において忠実に再現し得るように当該ビデオ信号を記録媒体に記録する記録装置等に係るものである。
【背景技術】
【０００２】
近年、撮像ビデオ信号を記録再生するうえで、高画質化への要求とともに、自然界に存在する色を忠実に再現する色再現性への要求が高くなっている。例えば、バラの花びらの真紅色、海の鮮やかなエメラルド色などを、より自然な画像により表現することが挙げられる。
【０００３】
現在、コンピュータディスプレイ用の標準色空間としてｓＲＧＢ規格が業界標準となっている。しかし、前述の色再現性のへの要求から、例えば、ｓＲＧＢ規格で定義された色空間より広い色空間である拡張されたｓＲＧＢ規格（ここでは、「拡張ｓＲＧＢ規格」と呼ぶ）で、カラー画像を再現できる再生装置が提案されている。
【０００４】
例えば、特許文献１には、拡張ｓＲＧＢ規格を実現するカラー液晶表示装置が記載されている。このカラー液晶表示装置は、バックライト装置の光源として、３波長以上の光を発光する３波長蛍光ランプからなる主白色光源と、ピーク波長λｐｒがλｐｒ＝６４５ｎｍである赤色光を発光する赤色発光ダイオード、ピーク波長λｐｇがλｐｇ＝５５５ｎｍである緑色光を発光する緑色発光ダイオードおよびピーク波長λｐｂがλｐｂ＝４４０ｎｍである青色光を発光する青色発光ダイオードを少なくとも１種類以上含む補助光源とを用いることで、ｓＲＧＢ規格で定義された色空間より広い色空間を実現している。
【０００５】
例えば、主白色光源２１に対して、補助光源２２として、ピーク波長λｐｇ＝５５５ｎｍである緑色発光ダイオード２２Ｇ、ピーク波長λｐｂ＝４４０ｎｍである青色発光ダイオード２２Ｂ、ピーク波長λｐｒ＝６４５ｎｍである赤色発光ダイオード２２Ｒを用いた場合において、カラー液晶表示パネルから出射される表示光を測色計にて測定し、色度点をｘｙ色度図中にプロットすると、図１７ａに示すような色再現範囲が得られる。
【０００６】
図１７ｂ、図１７ｃ、図１７ｄは、それぞれ緑色（Ｇ）、青色（Ｂ）、赤色（Ｒ）の各領域を拡大した図である。なお、図１７ａ、図１７ｂ、図１７ｃ、図１７ｄのｘｙ色度図中には、ＡｄｏｂｅＲＧＢ規格の色再現範囲、国際照明委員会（ＣＩＥ）が定めたＸＹＺ表色系、ｓＲＧＢ規格の色再現範囲、主白色光源２１のみを光源として使用した場合の色再現範囲も同時に示してある。
【０００７】
また、例えば、特許文献１には、さらに、透過波長帯域のピーク波長Ｆｐｒが６８５ｎｍ≦Ｆｐｒ≦６９０ｎｍであり、青色フィルタの透過波長帯域における当該赤色フィルタの透過率をゼロとした赤色フィルタと、透過波長帯域のピーク波長Ｆｐｇが５３０ｎｍであり、青色フィルタの透過波長帯域における当該緑色フィルタの透過率を減少させることで、透過波長帯域の半値幅Ｆｈｗｇを９０ｎｍ≦Ｆｈｗｇ≦１００ｎｍとした緑色フィルタと、透過波長帯域のピーク波長Ｆｐｂを４４０ｎｍ≦Ｆｐｂ≦４６０ｎｍとした青色フィルタとからなるカラーフィルタを備えることで、色再現範囲を大幅に拡大できることが記載されている。
【０００８】
例えば、主白色光源２１に対して、補助光源２２を用い、さらに、青色フィルタのピーク波長をＦｐｂ＝４４０ｎｍ、緑色フィルタのピーク波長をＦｐｇ＝５３０ｎｍ、赤色フィルタのピーク波長をＦｐｒ＝６９０ｎｍ、緑色光の透過波長帯域の半値幅Ｆｈｗｇ＝９０ｎｍとしたカラーフィルタ１９Ａを備える場合において、カラー液晶表示パネルから出射される表示光を測色計にて測定し、色度点をｘｙ色度図中にプロットすると、図１８ａに示すような色再現範囲が得られる。
【０００９】
図１８ｂ、図１８ｃ、図１８ｄは、それぞれ緑色（Ｇ）、青色（Ｂ）、赤色（Ｒ）の各領域を拡大した図である。なお、図１８ａ、図１８ｂ、図１８ｃ、図１８ｄのｘｙ色度図中には、ＡｄｏｂｅＲＧＢ規格の色再現範囲、国際照明委員会（ＣＩＥ）が定めたＸＹＺ表色系、ｓＲＧＢ規格の色再現範囲、主白色光源２１のみを光源として使用した場合の色再現範囲も同時に示してある。
【００１０】
ところで、記録装置においても、ｓＲＧＢ規格より広い色空間でビデオ信号を記録することへの要求が高くなってきている。従来のように、記録装置、再生装置がともにｓＲＧＢ規格に準拠している場合は、記録装置で記録されたビデオ信号が持つ色を、再生装置で忠実に再現できる。
【００１１】
しかし、記録装置がｓＲＧＢ規格より広い色空間でビデオ信号を記録し、再生装置が従来のｓＲＧＢ規格の色空間のみでの対応であった場合、再生装置ではそのビデオ信号を自機における色空間に単純にクリッピングして再生することになるので、本来のビデオ信号が持つ色を再現できなくなる。
【００１２】
また、特許文献１のように、拡張ｓＲＧＢ規格でカラー画像を再現できた場合においても、記録装置で記録されたビデオ信号も拡張ｓＲＧＢ規格で記録されていた場合、再生装置ではビデオ信号がｓＲＧＢ規格か拡張ｓＲＧＢ規格かを識別できない限り、ビデオ信号の色を忠実に再現できなくなる。
【００１３】
なお、特許文献２には、画像データと当該画像データに関連する色空間を表す色空間識別情報とが互いに対応付けられた画像セットに基づいて、画像を再生する画像再生装置が記載されている。この画像再生装置は、色空間識別情報で指定された色空間が、標準色空間である場合にも、特定色空間である場合にも、それぞれの場合に適した画像再生を行う。
【００１４】
つまり、画像再生装置は、色空間識別情報で指定された色空間が標準色空間（例えば、ｓＲＧＢ色空間）である画像データを再生する際には、当該画像データに対して基本色空間変換を行って再生用画像データを生成する。一方、画像再生装置は、色空間識別情報で指定された色空間が標準色空間以外の色空間（例えば、AdobeRGB（アドビ社の商標）等）である画像データを再生する際には、当該画像データに対して装置依存色空間（例えば、ｓＲＧＢ色空間等）への変換を行って再生用画像データを生成する。
【特許文献１】特開２００６−１１９２９５号公報
【特許文献２】再表２００４／０７７８３７号公報
【発明の開示】
【発明が解決しようとする課題】
【００１５】
特許文献２には、画像データに対応付けられた色空間情報に基づいて、当該画像データに適した画像再生を行うものである。この特許文献２に記載される技術は、画像データと、当該画像データに関連する色空間を表す色空間識別情報とが互いに対応付けられた画像データセット（画像データファイル）の存在が前提となっており、当該画像データセットをどのようにして得るかが問題となる。特許文献２には、当該画像データセットをデジタルカメラで生成することが記載されているが、当該デジタルカメラの記録系でいかなる手順をもって当該画像データセットを生成するかについての具体的記載はない。
【００１６】
また、特許文献２における画像データセットは、所定の画像データに対して１つの色空間識別情報が付加された構成となっている。そのため、例えば複数フレームの画像データからなるビデオ信号を扱う場合、分割・結合等の編集時に、当該色空間識別情報の取り扱いが複雑となる。例えば、ビデオ信号の分割時には、色空間情報を複製して各分割部分に付加させる必要がある。また、例えば、結合時に、結合された相手のビデオ信号との間の色空間が異なる場合には、いずれかの色空間情報を選択する必要がある。
【００１７】
この発明の目的は、記録されたビデオ信号が持つ本来の色を再生装置において忠実に再現し得るように当該ビデオ信号を記録媒体に記録する記録装置および記録方法を提供することにある。
【課題を解決するための手段】
【００１８】
この発明の概念は、
撮像ビデオ信号を処理して所定色空間に対応したビデオ信号を得るビデオ信号処理部と、
前記所定色空間を示す情報を含む色空間識別子を生成する色空間識別子生成部と、
前記ビデオ信号処理部で得られた前記ビデオ信号と、前記色空間識別子生成部で生成された前記色空間識別子とを記録媒体に対応付けて記録する記録部とを備え、
前記記録媒体には、前記ビデオ信号が複数のアクセスユニットで構成されるビデオストリーム形式で記録され、
前記色空間識別子は、前記所定のアクセスユニットに対応付けされる
ることを特徴とする記録装置にある。
【００１９】
この発明においては、ビデオ信号処理部において、撮像ビデオ信号が処理されて、所定色空間に対応したビデオ信号が得られる。例えば、色空間選択部において、複数の色空間から所定色空間が選択される。この選択は、例えば、ユーザの指定操作に基づいて行われる。例えば、色空間としては、ｓＲＧＢ色空間、拡張ｓＲＧＢ空間などがある。例えば、色空間としてｓＲＧＢ色空間が選択されるときには、ｓＲＧＢ色空間に対応したビデオ信号が得られ、色空間として拡張ｓＲＧＢ色空間が選択されるときには、拡張ｓＲＧＢ空間に対応したビデオ信号が得られる。
【００２０】
色空間識別子生成部において、所定色空間を示す情報を含む色空間識別子が生成される。そして、記録部において、ビデオ信号処理部で得られたビデオ信号と、色空間識別子生成部で生成された色空間識別子とが、記録媒体に、対応付けて記録される。この場合、記録媒体にはビデオ信号が複数のアクセスユニットで構成されるビデオストリーム形式で記録されると共に、色空間識別子は所定のアクセスユニットに対応付けされる。
【００２１】
この発明においては、所定色空間に対応したビデオ信号が得られるようにビデオ信号処理が行われると共に、当該所定色空間を示す情報を含む色空間識別子が生成され、これらビデオ信号および色空間識別子が記録媒体に対応づけて記録される。そのため、記録媒体に記録されたビデオ信号によるカラー画像を再生する再生装置にあっては、当該ビデオ信号と対応して記録されている色空間識別子に含まれる色空間情報を用いることで、ビデオ信号を再生装置に適した状態で使用でき、ビデオ信号が持つ本来の色を忠実に再現することが可能となる。
【００２２】
また、ビデオストリームの所定のアクセスユニット（ビデオ信号の所定位置）に対応して色空間識別子が存在するため、上述の特許文献２に記載のものと比べて、分割編集時に色空間識別子を複製して各分割部分に付加させる必要もなく、また、結合編集時に、各ビデオ信号に付加されている色空間識別子をそのまま用いることで、テレビ等で色空間の異なるビデオ信号を結合したデータを再生する場合等でも問題がなく、従って、分割・結合等の編集性能が向上する。
【００２３】
この発明においては、色空間識別子生成部で生成される色空間識別子には、色空間を示す情報と共に、ビデオ信号の色域に関する情報（例えば、色域の最大値および最小値）が含まれるようにしてもよい。色空間識別子にビデオ信号の色域に関する情報が含まれる場合、再生装置では、当該色域に関する情報をビデオ信号から取得する処理を行うことなく、当該色域に関する情報を用いることが可能となる。
【００２４】
また、この発明においては、色空間識別子生成部が、ビデオ信号の色域に関する情報を記憶した記憶部を有し、色空間識別子に含めるビデオ信号の色域に関する情報を、記憶部から読み出して得るようにしてもよい。色空間識別子生成部は、ビデオ信号から色域に関する情報を求める処理を省略できる。
【００２５】
この発明においては、記録部では、ビデオ信号処理部で得られたビデオ信号が、ビデオ信号に複数のアクセスユニットが連続したストリーム構成を得るための所定のデータ圧縮処理が施されて記録され、色空間識別子生成部では、データ圧縮処理後におけるビデオ信号のストリームを構成する各アクセスユニットに対応して、色空間識別子が生成される。この場合には、アクセスユニット毎に例えば色域に関する情報を持つことができるので、再生装置における色再現性の精度を高くできる。
【００２６】
この発明においては、記録部では、ビデオ信号処理部で得られたビデオ信号が、当該ビデオ信号に複数のアクセスユニットが連続したストリーム構成を得るための所定のデータ圧縮処理が施されて記録され、色空間識別子生成部は、データ圧縮処理後におけるビデオ信号のストリームを構成する各アクセスユニットのうち、間欠的に配置されている所定のアクセスユニットに対応して、色空間識別子が生成される。間欠的に配置されたアクセスユニットに対応して色空間識別子が生成される場合には、冗長度を軽減できる。
【００２７】
この発明においては、記録部では、ビデオ信号処理部で得られたビデオ信号が、ビデオ信号に、複数のアクセスユニットが連続したストリーム構成を得ると共に、所定数のアクセスユニットにより構成されるシーケンス毎に当該シーケンスの色情報を含むシーケンスパラメータセットを有する構成とするための所定のデータ圧縮処理が施されて記録され、色空間識別子生成部では、データ圧縮処理後におけるビデオ信号のストリームを構成する各アクセスユニットのうち、シーケンスパラメータセットを含むアクセスユニットに対応して、色空間識別子が生成される。
【００２８】
ＭＰＥＧ４−ＡＶＣ規格のデータ圧縮処理が行われる場合、シーケンスパラメータセットを含むアクセスユニットは、シーケンスパラメータセットのＮＡＬユニットを含むアクセスユニットである。この場合、シーケンスパラメータセットを含むアクセスユニットを読み出すことにより、シーケンスパラメータセットおよび色空間識別子を、つまり関連した色情報を一括して読み出すことができ、再生装置において、必要な情報アクセス時間を短縮できる。
【００２９】
この発明においては、色空間識別子生成部では、色空間選択部で特定の色空間が選択されるときには、色空間識別子が生成されないようにしてもよい。例えば、色空間識別子生成部では、ｓＲＧＢ色空間が選択されるときは色空間識別子が生成されず、拡張ｓＲＧＢ色空間が選択されるときは色空間識別子が生成される。この場合、特定の色空間のビデオ信号が記録される従来のもの（色空間識別子は記録されていない）との互換性が保たれる。上述の特許文献２に記載される技術では、いずれの色空間においても色空間識別情報が付加されており、従来の色空間識別情報が付加されていないものに対して、互換性が保たれない。
【００３０】
この発明においては、記録媒体に記録されたビデオ信号および色空間識別子は、記録媒体から再生されて、ネットワークインタフェースを介してネットワークに送出される。例えば、色空間識別子生成部では、ネットワークインタフェースの出力形態に適合した形式で、色空間識別子が生成される。この場合、色空間識別子をネットワークに送出する際に、記録媒体に記録されている色空間識別子の形式を変更する必要がなく、そのままの形式でネットワークに送出できる。上述の特許文献２に記載される技術では、ネットワークインタフェースの出力形態に適合した形式で色空間識別情報を生成するものではなく、この色空間識別情報をネットワークに送出する際には、ネットワークインタフェースの出力形態に適合した形式に変換するための変換ブロックが必要となる。
【００３１】
この発明においては、記録媒体に記録されているビデオ信号および色空間識別子は、例えば、ネットワークに送出される場合、再生部により再生される。この場合、色空間識別子に基づいて、再生されるビデオ信号の色空間が表示部により表示されるようにしてもよい。この場合、ユーザは、再生されるビデオ信号の色空間を容易に把握できる。
【発明の効果】
【００３２】
この発明によれば、撮像ビデオ信号を処理して得られた所定色空間に対応したビデオ信号を記録媒体に記録する際、当該所定色空間を示す情報を含む色空間識別子を生成してビデオ信号に対応付けて記録するものであり、記録されたビデオ信号が持つ本来の色を再生装置において忠実に再現し得るように当該ビデオ信号を記録媒体に記録できる。
【発明を実施するための最良の形態】
【００３３】
以下、図面を参照しながら、この発明の実施の形態について説明する。図１は、実施の形態としての撮像装置１００の構成を示している。
【００３４】
撮像装置１００は、カメラ部１１０と、制御部１２０と、信号処理部１３１と、エンコード／デコード部１３２と、ＳＤＲＡＭ（Synchronous Dynamic Random Access Memory）１３３と、媒体インタフェース（媒体Ｉ／Ｆ）１３４と、操作部１３６と、ＬＣＤ（Liquid Crystal Display）コントローラ１３７と、ＬＣＤ１３８と、外部インタフェース（外部Ｉ／Ｆ）１３９とを備えている。媒体Ｉ／Ｆ１３４には、記録媒体１３５が着脱可能とされている。
【００３５】
記録媒体１３５としては、メモリカード等の半導体メモリ、記録可能なＤＶＤ（Digital Versatile Disk）、記録可能なＣＤ（Compact Disc）等の光記録媒体、さらには磁気ディスク等を用いることができる。この実施の形態においては、記録媒体１３５として、例えばメモリカードが用いられる。
【００３６】
カメラ部１１０は、光学ブロック１１１、撮像素子１１２、前処理回路１１３、光学ブロック用ドライバ１１４、撮像素子用ドライバ１１５およびタイミング制御回路１１６を備えている。
【００３７】
光学ブロック１１１は、撮像レンズ、フォーカス機構、シャッター機構、絞り（アイリス）機構などを有している。光学ブロック用ドライバ１１４は、制御部１２０の制御の下、光学ブロック１１１を動作させるための駆動信号を形成し、この駆動信号を光学ブロック１１１に供給する。光学ブロック１１１では、ドライバ１１４からの駆動信号に応じて、フォーカス機構、シャッター機構、絞り機構が制御される。
【００３８】
撮像素子１１２は、ＣＣＤ(Charged Coupled Device)あるいはＣＭＯＳ(ComplementaryMetal-Oxide Semiconductor)等の撮像素子である。タイミング生成回路１１６は、制御部１２０の制御の下、撮像素子１１２および撮像素子用ドライバ１１５で必要とする種々のタイミング信号を生成する。ドライバ１１５は、タイミング生成回路１１６からのタイミング信号に基づいて、撮像素子１１２を駆動するための駆動信号を形成し、この駆動信号を撮像素子１１２に供給する。
【００３９】
前処理回路１１３は、例えば、ＣＤＳ（Correlated Double Sampling）、ＡＧＣ（AutomaticGain Control）、およびAD（Analog toDigital）コンバータなどで構成され、撮像素子１１２から出力されるアナログの撮像信号に対して、ノイズ除去、自動利得制御、およびＡ／Ｄ変換などの所定の信号処理を施し、デジタルビデオデータ（カメラ出力データ）を出力する。
【００４０】
制御部１２０は、ＣＰＵ（Central Processing Unit）１２１、ＲＡＭ（RandomAccess Memory）１２２、フラッシュＲＯＭ（Read Only Memory）１２３、時計回路１２４が、システムバス１２５を介して接続されて構成されたマイクロコンピュータである。制御部１２０は、撮像装置１００の各部の動作を制御する。ここで、ＲＡＭ１２２は、処理の途中結果を一時記憶する等、主に作業領域として用いられる。フラッシュＲＯＭ１２３には、ＣＰＵ１２１が実行する種々のプログラム、および処理に必要なデータ等が記憶されている。時計回路１２４は、現在年月日、現在曜日、現在時刻を提供する。
【００４１】
操作部１３６は、ユーザインタフェースを構成しており、ユーザの操作を受け付ける。この操作部１３６は、タッチパネル、コントロールキー等により構成されている。操作部１３６は、ＣＰＵ１２１に接続されており、ユーザの操作に対応した操作信号をＣＰＵ１２１に供給する。
【００４２】
ユーザは、この操作部１３６を操作して、記録されるビデオ信号の色空間として、ｓＲＧＢ色空間または拡張ｓＲＧＢ色空間のいずれかを指定できる。制御部１２０（ＣＰＵ１２１）は、ユーザがｓＲＧＢ色空間を指定した場合には、記録されるビデオ信号の色空間としてｓＲＧＢ色空間を選択し、一方、ユーザが拡張ｓＲＧＢ色空間を指定した場合には、記録されるビデオ信号の色空間として拡張ｓＲＧＢ色空間を選択する。この意味で、制御部１２０は、色空間選択部を構成している。
【００４３】
信号処理部１３１は、カメラ部１１０の前処理回路１１３から出力されるデジタルビデオデータ（カメラ出力データ）に対して、補間処理、フィルタリング処理、マトリクス演算処理、輝度信号生成処理、色差信号生成処理等を行って、撮像ビデオ信号としての輝度信号Ｙおよび色差信号Ｃｒ／Ｃｂを出力する。
【００４４】
図２は、信号処理部１３１の構成例を示している。この構成例は、撮像素子１１２の前面に、図３に示す色配列の４色カラーフィルタが設けられた場合の例である。このカラーフィルタは、赤（Ｒ）の光のみを透過するＲフィルタと、青（Ｂ）の光のみを透過するＢフィルタと、第１の波長帯域の緑色の光のみを透過するＧ１フィルタと、第２の波長帯域の緑色の光のみを透過するＧ２フィルタとの、合計４個を最小単位とする構成を有している。
【００４５】
撮像素子１１２の前面に図３に示す色配列のカラーフィルタが設けられる場合、上述の撮像素子１１２から出力されるアナログの撮像信号は、Ｒ信号、Ｇ１信号、Ｇ２信号、Ｂ信号の４種類の色信号となる。そして、前処理回路１１３では、各色信号に対して、ノイズ除去、自動利得制御、およびＡ／Ｄ変換などの所定の信号処理が施される。この前処理回路１１３から信号処理部１３１には、上述のデジタルビデオデータとして、Ｒ信号、Ｇ１信号、Ｇ２信号、Ｂ信号の４種類の色信号が供給される。
【００４６】
信号処理部１３１は、ＬＳＩ(Large Scale IntegratedCircuit：大規模集積回路)の構成とされており、オフセット補正処理部１５１と、ホワイトバランス補正処理部１５２と、垂直方向同時化処理部１５３と、処理部１５４と、リニアマトリクス処理部１５５と、ガンマ補正処理部１５６Ｒ〜１５６Ｂと、輝度信号生成処理部１５７と、色差信号生成処理部１５８と、帯域制限・間引き処理部１５９とを有している。
【００４７】
オフセット補正処理部１５１は、前処理回路１１３から供給される各色信号に含まれるノイズ成分（オフセット成分）を除去する。ホワイトバランス補正処理部１５２は、オフセット補正処理部１５１でノイズ成分が除去された各色信号に対してホワイトバランス補正を行う。すなわち、ホワイトバランス補正処理部１５２は、被写体の色温度環境の違い、そして撮像素子１１２の前面に配されるカラーフィルタ（Ｒ，Ｇ１，Ｇ２，Ｂ）の感度の違いによる各色間のアンバランスを補正する。
【００４８】
垂直方向同時化処理部１５３は、ホワイトバランス補正処理部１５２でホワイトバランス補正が行われた各色信号に対して、垂直方向の同時化処理を行う。処理部１５４は、垂直方向同時化処理部１５３で同時化されて得られる各色信号に対して、補間処理、フィルタ処理、高域周波数補正処理およびノイズ処理等を行う。補間処理は、カラーフィルタ（Ｒ，Ｇ１，Ｇ２，Ｂ）の最小単位である２×２画素の色信号を同一空間の位相に補間する処理である。フィルタ処理は、信号帯域を制限する処理である。高域成分補正処理は、信号帯域の高域成分を補正する処理である。ノイズ処理は、各色信号のノイズ成分を除去する処理である。
【００４９】
リニアマトリクス処理部１５５は、処理部１５４から出力されるＲ信号、Ｇ１信号、Ｇ２信号、Ｂ信号に対して、４入力３出力のマトリクス演算を行って、Ｒ信号、Ｇ信号、Ｂ信号を出力する。すなわち、リニアマトリクス処理部１５５は、３×４の行列のマトリクス係数を用いて、Ｒ信号、Ｇ１信号、Ｇ２信号、Ｂ信号から、Ｒ信号、Ｇ信号、Ｂ信号を求める。
【００５０】
ここで、上述したように、制御部１２０が、ユーザの指定に基づいて、記録されるビデオ信号の色空間としてｓＲＧＢ色空間を選択した場合、リニアマトリクス処理部１５５のマトリクス係数は、マトリクス演算後のＲ信号、Ｇ信号、Ｂ信号の目標色空間がｓＲＧＢ色空間となるように、設定される。同様に、制御部１２０が、ユーザの指定に基づいて、記録されるビデオ信号の色空間として拡張ｓＲＧＢ色空間を選択した場合、リニアマトリクス処理部１５５のマトリクス係数は、マトリクス演算後のＲ信号、Ｇ信号、Ｂ信号の目標色空間が拡張ｓＲＧＢ色空間となるように、設定される。
【００５１】
ガンマ補正処理部１５６Ｒ、１５６Ｇ、１５６Ｂは、リニアマトリクス処理部１５５から出力されるＲ信号、Ｇ信号、Ｂ信号に対して、ガンマ補正を行う。この場合、最終的にリニアな特性を実現するために、ＣＲＴ(Cathode Ray Tube)ディスプレイ、ＬＣＤ(Liquid CrystalDisplay)等の表示装置が有する非線形特性の逆補正が行われる。
【００５２】
輝度信号生成処理部１５７は、ガンマ補正処理部１５６Ｒ、１５６Ｇ、１５６Ｂでガンマ補正されたＲ信号、Ｇ信号、Ｂ信号を所定の合成比で合成して輝度信号Ｙを生成する。色差信号生成処理部１５８は、ガンマ補正処理部１５６Ｒ、１５６Ｇ、１５６Ｂでガンマ補正されたＲ信号、Ｇ信号、Ｂ信号を所定の合成比で合成することによって、青色差信号Ｃｂおよび赤色差信号Ｃｒを生成する。帯域制限・間引き処理部１５９は、色差信号生成処理部１５８で生成された色差信号Ｃｂ，Ｃｒに対して帯域制限および間引きの処理を行って、色差信号Ｃｂ，Ｃｒが時分割多重化された色差信号Ｃｂ／Ｃｒを形成する。
【００５３】
図１に戻って、エンコード／デコード部１３２は、信号処理部１３１から出力される輝度信号Ｙおよび色差信号Ｃｂ／Ｃｒに対してデータ圧縮処理を行って、圧縮ビデオ信号を生成する。また、エンコード／デコード部１３２は、記録媒体１３５から媒体Ｉ／Ｆ１３４で再生された圧縮ビデオ信号に対してデータ伸長処理を行って、輝度信号Ｙおよび色差信号Ｃｂ／Ｃｒを生成する。エンコード／デコード部１３２は、ＳＤＲＡＭ１３３を利用して、上述したデータ圧縮処理およびデータ伸長処理を行う。
【００５４】
エンコード／デコード部１３２は、従来周知のＭＰＥＧ４−ＡＶＣ規格に基づいて、データ圧縮処理およびデータ伸長処理を行う。図４Ａを用いて、ＭＰＥＧ４−ＡＶＣ規格について簡単に説明する。
【００５５】
ＭＰＥＧ４−ＡＶＣ規格では、動画像符号化処理を扱うＶＣＬ(Video Coding Layer)と、符号化された情報を伝送、蓄積する下位システムとの間にＮＡＬ(Network Abstraction Layer)が存在している。また、シーケンスやピクチャのヘッダ情報に相当するパラメータセットもＶＣＬで生成した情報と分離して扱えるようになっている。さらに、ＭＰＥＧ−２システムなどの下位システムへのビットストリームの対応付けは、ＮＡＬの一区切りである「ＮＡＬユニット」を単位として行われる。
【００５６】
主なＮＡＬユニットを説明する。ＳＰＳ(Sequence Parameter Set) ＮＡＬユニットには、プロファイル、レベル情報等、シーケンス全体の符号化に関わる情報が含まれる。ビットストリームにおいて、当該ＳＰＳＮＡＬユニットが挿入されているアクセスユニットが先頭に存在する連続した複数のアクセスユニットにより、１シーケンスが構成されている。一般的には、このシーケンスを編集単位として、ストリームの分割、結合、消去等の編集が行われる。
【００５７】
ＰＰＳ(Picture Parameter Set) ＮＡＬユニットには、エントロピー符号化モード、ピクチャ単位の量子化パラメータ等のピクチャ全体の符号化モードに関する情報が含まれる。Coded Slice of an IDR picture NALユニットには、ＩＤＲ(Instantaneous Decoder Refresh)ピクチャの符号化データが格納される。ＩＤＲピクチャは、画像シーケンスの先頭のピクチャであり、実際の使用例としては編集点となるピクチャである。Coded Slice of a non IDR picture NALユニットには、ＩＤＲピクチャでない、その他のピクチャの符号化データが格納される。
【００５８】
ＳＥＬ(Supplemental Enhancement Information) ＮＡＬユニットには、ＶＣＬの符号に必須でない付加情報が格納される。ランダムアクセスを行うのに便利な情報、ユーザが独自に定義する情報等が格納される。ＡＵＤ(Access Unit Delimiter) ＮＡＬユニットは、後述するアクセスユニット（ＡＵ）の先頭に付加される。このＡＵＤＮＡＬユニットには、アクセスユニットに含まれるスライスの種類を示す情報が含まれる。その他、シーケンスの終了を示すＥＯＳ(EndOf Sequence) ＮＡＬユニット、および、ストリームの終了を示すＥＯＳ(End Of Stream) ＮＡＬユニットが定義されている。
【００５９】
ビットストリーム中の情報をピクチャ単位（フレーム単位）にアクセスするために、いくつかのＮＡＬユニットをまとめたものをアクセスユニット（AU）と呼ぶ。アクセスユニットには、ピクチャのスライスに相当するＮＡＬユニット(CodedSlice of an IDR picture NALユニットまたはCoded Slice of a nonIDR picture NALユニット)が必ず含まれるが、他の情報を含む場合には、図４Ａに示すとおりの順番に並べる必要がある。
【００６０】
エンコード／デコード部１３２は、データ圧縮処理を行う際に、ＳＰＳＮＡＬユニットを含むアクセスユニットに色空間識別子を含める。この色空間識別子には、上述したように制御部１２０が選択した色空間を示す情報が含まれている。この場合、実際には、色空間識別子が含められたＳＥＩＮＡＬユニットが、ＳＰＳ ＮＡＬユニットを含むアクセスユニットに挿入される。このようにＳＰＳ ＮＡＬユニットを含むアクセスユニットに色空間識別子が含められることで、ＳＰＳＮＡＬユニットを含むアクセスユニットを読み出すことにより、シーケンスパラメータセットおよび色空間識別子を一括して読み出すことができ、再生装置において、必要な情報アクセス時間を短縮できる。
【００６１】
すなわち、ＭＰＥＧ−４  ＡＶＣ規格として、シーケンスパラメータセットに、ＶＵＩ(Video Usability Information) パラメータが含まれる。このＶＵＩパラメータは、ビデオの表示情報などに関するデータであり、例えばＲＧＢの色信号から輝度信号、色差信号への変換行列に関する情報等が含まれる。色空間識別子が格納されたＳＥＩＮＡＬユニットを、ＳＰＳ ＮＡＬユニットを含むアクセスユニットに含めることにより、ビデオ信号を表示する際に利用する情報である、色空間識別子に記録された情報およびＶＵＩパラメータを、同じアクセスユニット（ＡＵ）に格納できる。この場合、再生装置では、記録媒体１３５から、当該アクセスユニットを読み出すことにより、カラー画像を表示する際に利用する色情報を一括して読み出すことができ、必要な情報アクセス時間を短縮できる。
【００６２】
さらに、ＳＰＳ ＮＡＬユニットが挿入されているアクセスユニットが先頭に存在するシーケンスが編集単位として用いられるため、ストリームが分割された場合、他のストリームと結合した場合、あるいは、ストリームの一部が削除されたりする場合においても、もれなく関連する色情報を読み取ることが可能となり、分割・結合等の編集性能が向上する。例えば、図４Ｂ（ａ），（ｂ）は、分割編集時におけるビデオストリームの分割例を示している。図４Ｂ（ａ）は分割前のストリームを示し、図４Ｂ（ｂ）は分割後のストリームを示す。図４Ｂ（ａ）に示すように、ストリームの分割は、ＳＰＳＮＡＬユニットが挿入されているアクセスユニットを先頭に持つシーケンスを単位として行われる。そのため、図４Ｂ（ｂ）に示すように、分割後の各ストリームの先頭アクセスユニットには、色情報を持つＳＰＳＮＡＬユニットおよびＳＥＬ ＮＡＬユニットが必ず含まれている。
【００６３】
図５は、色空間識別子の構造例を示している。この図５に示す構造例では、色空間識別子は、記録されるビデオ信号の色空間を示す情報である色空間情報の他に、色域に関する情報、色精度情報および予約領域が含まれている。色域に関する情報は、図５に示す構造例では、当該色空間識別子が格納されたＳＥＩＮＡＬユニットを付加するアクセスユニットにおけるピクチャの赤(R)、緑(G)、青(B)それぞれに対して使用される色域の最大値と最小値である。
【００６４】
なお、色域に関する情報としては、色域の最大値と、当該最大値と最小値の差、あるいは色域の最小値と、当該最小値と最大値との差、等であってもよい。色精度情報は、色域に関する情報（最大値、最小値）がどのくらいの精度（具体的には何ビットで表されているかの情報）で示されているかを示す情報である。予約領域は、将来のデータ拡張のために、予め確保されている。
【００６５】
色空間識別子は、制御部１２０のＣＰＵ１２１により生成される。ＣＰＵ１２１は、色空間識別子が格納されたＳＥＩＮＡＬユニットを含めるアクセスユニット内のCoded Slice NALユニットのピクチャから赤(R)、緑(G)、青(B)の各色の色域に関する情報を計算して求める。
【００６６】
後述するように、撮像装置１００においては、エンコード／デコード部１３２でデータ圧縮処理されて得られた圧縮ビデオ信号は、媒体Ｉ／Ｆ１３４を介して記録媒体１３５に記録される。そして、このように記録媒体１３５に記録された圧縮ビデオ信号は、必要に応じて、媒体Ｉ／Ｆ１３４を通じて読み出され、例えば、データ伸長処理が施された後に、色空間識別子と共に、外部Ｉ／Ｆ（ネットワークインタフェース）１３９から所定のネットワークを通じて他の機器に転送される。
【００６７】
現在、機器間をつなぐネットワークの形式は、IEEE1394、USB2.0、HDMI1.3等、数多く存在している。記録媒体１３５に記録された色空間識別子の形式がネットワークインタフェースの出力形態に適合した形式でない場合には、ネットワークでの転送時に、記録媒体１３５から読み出された色空間識別子の形式を、ネットワークインタフェースの出力形態に適合した形式に変換することが必要となる。この場合、制御部１２０のＣＰＵ１２１にとっては大きな負荷となり、ビデオ信号の転送にも支障をきたすおそれがある。
【００６８】
この実施の形態において、ＣＰＵ１２１は、色空間識別子を、ネットワークインタフェースの出力形態に適合した形式で生成する。この場合、ＣＰＵ１２１は、記録媒体１３５から読み出されたビデオ信号および色空間識別子をネットワークに送出する際に、記録媒体１３５に記録されている色空間識別子の形式を変更する必要がなく、そのままの形式でネットワークに送出でき、ＣＰＵ１２１のデータ転送時における負荷が軽減される。
【００６９】
なお、ネットワークインタフェースの規格として色空間識別子のような色情報の転送が規定されていない場合には、ＣＰＵ１２１は、例えば、ユーザ独自データの転送規定に準じた形式で、色空間識別子を生成する。図６は、所定のネットワークインタフェースＡにおける色空間識別子の構造例を示している。図６に示す構造例は、上述の図５に示す構造例とは配列が異なり、新たに、色空間識別子全体のデータサイズに関する情報が含まれている。図７は、所定のネットワークインタフェースＢにおける、ユーザ独自データの転送規定に従った色空間識別子の構造例を示している。ユーザ独自データの転送規定では、ネットワークインタフェースＢの規格のバージョン情報、データサイズ、色空間識別子であることを示すデータ識別子（ユーザー独自定義）が、図７に示すように含まれ、独自データして色空間情報、色精度情報、予約領域、色域に関する情報等の情報が格納されている。
【００７０】
エンコード／デコード部１３２は、データ圧縮処理を行う際に、上述したように選択された色空間を示す情報を含む色空間識別子が格納されたＳＥＩＮＡＬユニットを、ＳＰＳ ＮＡＬユニットを含むアクセスユニットに、含める。この場合、制御部１２０が、記録されるビデオ信号の色空間として、ｓＲＧＢ色空間および拡張ｓＲＧＢ色空間のいずれを選択した場合にも、色空間識別子が格納されたＳＥＩＮＡＬユニットを、ＳＰＳ ＮＡＬユニットを含むアクセスユニットに、含めるようにしてもよい。
【００７１】
しかし、この実施の形態においては、制御部１２０が、記録されるビデオ信号の色空間として拡張ｓＲＧＢ色空間を選択した場合のみ、色空間識別子が格納されたＳＥＩＮＡＬユニットを、ＳＰＳ ＮＡＬユニットを含むアクセスユニットに、含めるようにされる。この場合、ＣＰＵ１２１は、記録されるビデオ信号の色空間として拡張ｓＲＧＢ色空間を選択した場合のみ、色空間識別子（図５〜図７参照）を生成する。この場合、ｓＲＧＢ色空間のビデオ信号が記録される従来のもの（色空間識別子は記録されていない）との互換性が保たれる。
【００７２】
図５〜図７に示す色空間識別子の構造例では、ビデオ信号の色域に関する情報を含んでいるが、色空間識別子には、必ずしも、当該ビデオ信号の色域に関する情報を含んでいる必要はない。色空間識別子にビデオ信号の色域に関する情報が含まれている場合、再生装置では、当該色域に関する情報をビデオ信号から取得する処理を行うことなく、当該色域に関する情報を用いることができ、再生装置の負担を軽減できる。
【００７３】
図１に戻って、媒体Ｉ／Ｆ１３４は、エンコード／デコード部１３２でデータ圧縮処理されて得られた圧縮ビデオ信号を、制御部１２０の制御の下、記録媒体（メモリカード）１３５に記録する。また、媒体Ｉ／Ｆ１３４は、制御部１２０の制御の下、記録媒体１３５から圧縮ビデオ信号を再生する。ＬＣＤコントローラ１３７は、撮像時（記録時）には、信号処理部１３１から供給されるビデオ信号に基づいてＬＣＤ１３８を駆動し、このＬＣＤ１３８に撮像画像（記録画像）を表示する。
【００７４】
この場合、ＬＣＤコントローラ１３７は、再生される圧縮ビデオ信号に対応付けて記録されている色空間識別子（図５〜図７参照）に含まれる色空間を示す情報に基づいて、ＬＣＤ１３８に、再生画像と共に、再生されたビデオ信号の色空間が何であるかを示すアイコンを、ＯＳＤ(on-screen display)表示する。図８は、ＬＣＤ１３８における再生画像の表示例を示しており、再生されたビデオ信号の色空間が拡張ｓＲＧＢ色空間であることを示すアイコンが表示されている。ＬＣＤ１３８に、このように再生されるビデオ信号の色空間がアイコン表示されることで、ユーザは、再生されるビデオ信号の色空間を容易に把握できる。
【００７５】
撮像装置１００で再生されるビデオ信号をライン入力で再生装置に供給する場合（図１は、ライン出力端子の図示を省略している）、再生装置に色空間情報が転送されない。その場合、上述したようにＬＣＤ１３８に色空間を示すアイコンが表示されると、ユーザは当該アイコンによって再生ビデオ信号の色空間を認識して、再生装置の最適な表示設定を手動で行うことが可能となる。
【００７６】
外部Ｉ／Ｆ１３９は、ネットワークインタフェースを構成している。外部Ｉ／Ｆ１３９は、ビデオ信号の転送時に、記録媒体１３５から媒体Ｉ／Ｆ１３４を通じて再生されたビデオ信号および色空間識別子を、所定のネットワークを通じて、パーソナルコンピュータ等の他の機器に転送する。
【００７７】
図９のフロー図は、色空間識別子が記録媒体１３５から読み取られ、この色空間識別子に基づいてＬＣＤ１３８に再生ビデオ信号の色空間がアイコン表示され、また、この色空間識別子がネットワークを通じて他の機器に転送されること、を示している。なお、図９における色空間識別子読み出しブロック、アイコン表示ブロックおよびネットワークＩ／Ｆブロックは、制御部１２０、媒体Ｉ／Ｆ１３４、ＬＣＤコントローラ１３７、ＬＣＤ１３８、外部Ｉ／Ｆ１３９等で構成されている。この図９のフロー図は、図１に示す撮像装置１００だけでなく、記録媒体１３５からビデオ信号を再生する他の再生装置（プレーヤ）にも、適用できる。
【００７８】
図１０は、転送路上でのデータ例を示している。上述したようにＳＥＩ  ＮＡＬユニットに含まれる色空間識別子が記録媒体１３５から読み出され、図９のネットワークＩ／Ｆブロックから所定のタイミングで転送される。
【００７９】
図１に示す撮像装置１００の動作を説明する。被写体からの像光がレンズブロック１１１を介して撮像素子１１２の撮像面に照射され、この撮像面に被写体像が結像される。撮像素子１１２では、撮像面に被写体像が結像された状態で撮像が行われる。撮像素子１１２から出力されるアナログの撮像信号は、前処理回路１１３に供給され、ノイズ除去、自動利得制御、およびＡ／Ｄ変換などの所定の信号処理が施される。
【００８０】
カメラ部１１０の前処理回路１１３から出力されるデジタルビデオデータ（カメラ出力データ）は、信号処理部１３１に供給される。この信号部１３１では、カメラ出力データに対して、補間処理、フィルタリング処理、マトリクス演算処理、輝度信号生成処理、色差信号生成処理等の処理が行われ、撮像ビデオ信号としての、輝度信号Ｙおよび色差信号Ｃｒ／Ｃｂが生成される。
【００８１】
ここで、撮像装置１００のユーザが、操作部１３６を操作して、記録されるビデオ信号の色空間としてｓＲＧＢ色空間を指定した場合には、制御部１２０（ＣＰＵ１２１）により、記録されるビデオ信号の色空間としてｓＲＧＢ色空間が選択される。そして、制御部１２０の制御により、マトリクス演算後のＲ信号、Ｇ信号、Ｂ信号の目標色空間がｓＲＧＢ色空間となるように、リニアマトリクス処理部１５５（図２参照）のマトリクス係数が設定される。つまり、ユーザが記録されるビデオ信号の色空間としてｓＲＧＢ色空間を指定した場合、信号処理部１３１で生成されるビデオ信号（輝度信号Ｙおよび色差信号Ｃｒ／Ｃｂ）は、ｓＲＧＢ色空間のビデオ信号となる。同様にして、ユーザが記録されるビデオ信号の色空間として拡張ｓＲＧＢ色空間を指定した場合、信号処理部１３１で生成されるビデオ信号（輝度信号Ｙおよび色差信号Ｃｒ／Ｃｂ）は、拡張ｓＲＧＢ色空間のビデオ信号となる。
【００８２】
撮像時（記録時）には、上述したように信号処理部１３１で生成されるビデオ信号がＬＣＤコントローラ１３７に供給され、ＬＣＤ１３８には当該ビデオ信号に基づいて撮像画像（記録画像）が表示される。なお、上述していないが、ＬＣＤ１３８に、この撮像画像と共に、上述したようにユーザが指定した記録ビデオ信号の色空間の情報がＯＳＤ表示されるようにしてもよい。
【００８３】
また、撮像時（記録時）には、上述したように信号処理部１３１で生成されるビデオ信号がエンコード／デコード部１３２に供給され、ＭＰＥＧ４−ＡＶＣ規格に基づいて、データ圧縮処理され、圧縮ビデオ信号が生成される。この際に、ＳＰＳＮＡＬユニットを含むアクセスユニットに、色空間を示す情報を含む色空間識別子（図５〜図７参照）が格納されたＳＥＩ ＮＡＬユニットが含められる。なお、色空間識別子は、制御部１２０のＣＰＵ１２１で生成されるが、ユーザが指定した拡張ｓＲＧＢ色空間を指定した場合のみ、生成される。つまり、記録されるビデオ信号の色空間が拡張ｓＲＧＢ色空間である場合のみ、圧縮ビデオ信号に色空間識別子が付加される。
【００８４】
エンコード／デコード部１３２で得られる圧縮ビデオ信号は、制御部１２０の制御の下、媒体Ｉ／Ｆ１３４に供給され、この媒体Ｉ／Ｆ１３４を通じて、当該媒体Ｉ／Ｆ１３４に装着された記録媒体１３５に記録される。
【００８５】
再生時には、媒体Ｉ／Ｆ１３４を通じて、当該媒体Ｉ／Ｆ１３４に装着された記録媒体１３５から、所定の圧縮ビデオ信号が読み出される。このように記録媒体１３５から読み出される圧縮ビデオ信号は、エンコード／デコード部１３２に供給され、データ伸長の処理が施される。そして、エンコード／デコード部１３２で得られる再生ビデオ信号がＬＣＤコントローラ１３７に供給され、ＬＣＤ１３８には当該ビデオ信号に基づいて再生画像が表示される。この場合、ＬＣＤ１３８には、再生ビデオ信号に対応付けて記録されている色空間識別子（図５〜図７参照）に含まれる色空間を示す情報に基づいて、再生ビデオ信号の色空間が何であるかを示すアイコンがＯＳＤ表示される。なお、色空間のアイコン表示は、色空間が拡張ｓＲＧＢ色空間である場合のみ行うようにしてもよい。この場合、ユーザは、色空間のアイコン表示がないときは、再生ビデオ信号の色空間はｓＲＧＢ色空間であると推定できる。
【００８６】
転送時には、制御部１２０の制御のもと、媒体Ｉ／Ｆ１３４を通じて、記録媒体１３５から所定の圧縮ビデオ信号が読み出される。この圧縮ビデオ信号は、例えば、エンコード／デコード部１３２に供給されて、データ伸長処理が施される。そして、エンコード／デコード部１３２で得られるビデオ信号および色空間識別子は、外部Ｉ／Ｆ１３９から、所定のネットワークを通じて、パーソナルコンピュータ等の他の機器に転送される。この場合、上述したように圧縮ビデオ信号に付加されて記録される色空間識別子は、ネットワークインタフェースの規格に適合した形成で生成されるので、エンコード／デコード部１３２で得られる色空間識別子は、形式を変換する必要がなく、そのままネットワークに転送される。この場合、図９の転送フローに、形式を変換するための変換ブロックが示されていないように、当該変換ブロックは不要となる。
【００８７】
図１１のフローチャートは、撮像時（記録時）における、色空間識別子の記録手順を示している。ＣＰＵ１２１は、ステップＳＴ１で、処理を開始し、その後に、ステップＳＴ２に進む。このステップＳＴ２において、ＣＰＵ１２１は、拡張ｓＲＧＢ色空間が選択されているか否かを判別する。ＣＰＵ１２１は、拡張ｓＲＧＢ色空間が選択されているときは、ステップＳＴ３において、ビデオ信号の記録を開始すると共に、ステップＳＴ４において、所定ピクチャ（ＳＰＳＮＡＬユニットを含むアクセスユニットのピクチャ）の色域に関する情報を求める。
【００８８】
次に、ＣＰＵ１２１は、ステップＳＴ５において、ネットワークインタフェースに応じた形式で色空間識別子を作成し、この色空間識別子が格納されたＳＥＩＮＡＬユニットを圧縮ビデオ信号のＳＰＳ ＮＡＬユニットを含むアクセスユニットに含めて記録する。そして、ＣＰＵ１２１は、ステップＳＴ４およびステップＳＴ５の処理をビデオ信号の記録が行われている間繰り返し行い、ビデオ信号の記録が終了したとき、ステップＳＴ６において、処理を終了する。
【００８９】
また、ＣＰＵ１２１は、ステップＳＴ２において、拡張ｓＲＧＢ色空間が選択されていないとき、つまり、ｓＲＧＢ色空間が選択されているときは、ステップＳＴ７に進む。ＣＰＵ１２１は、ステップＳＴ７において、色空間識別子を作成しないものとし、ステップＳＴ６で、処理を終了する。
【００９０】
図１に示す撮像装置１００においては、ユーザは、記録されるビデオ信号の色空間として、ｓＲＧＢ色空間または拡張ｓＲＧＢ色空間のいずれかを指定できる。信号処理部１３１からは、当該指定された色空間に対応したビデオ信号（輝度信号Ｙおよび色差信号Ｃｂ／Ｃｒ）が得られ、このビデオ信号が、エンコード／デコード部１３２でＭＰＥＧ４−ＡＶＣ規格のデータ圧縮処理が施されて、記録媒体１３５に記録される。
【００９１】
また、制御部１２０のＣＰＵ１２１では、ユーザが、記録されるビデオ信号の色空間として拡張ｓＲＧＢ色空間を指定したとき、当該拡張ｓＲＧＢ色空間を示す情報を含む色空間識別子が生成され、この色空間識別子が格納されたＳＥＩＮＡＬユニットが、エンコード／デコード部１３２で生成される圧縮ビデオ信号における、ＳＰＳ ＮＡＬユニットを含むアクセスユニットに含められて、記録媒体１３５に記録される。
【００９２】
つまり、図１に示す撮像装置１００においては、記録媒体１３５には、記録されるビデオ信号の色空間がｓＲＧＢ色空間であるとき、ビデオ信号および色空間識別子が対応づけて記録される。そのため、記録媒体１３５に記録されたビデオ信号によるカラー画像を再生する再生装置にあっては、当該ビデオ信号と対応づけて記録されている色空間識別子に基づき、当該記録されたビデオ信号の色空間を容易に判別できる。
【００９３】
したがって、記録媒体１３５に記録されたビデオ信号によるカラー画像を再生する再生装置にあっては、上述の判別結果に基づいて、当該ビデオ信号を自装置に適した状態で使用でき、ビデオ信号が持つ本来の色を忠実に再現することが可能となる。
【００９４】
図１２は、再生装置における色領域マッピングの概念図である。再生装置は、色空間識別子を認識すると、入力されるビデオ信号の色空間を理解でき、再生装置の色空間領域に適した形で入力ビデオ信号を最適にマッピングでき、記録されたビデオ信号が持つ本来の色を忠実に再現することが可能となる。例えば、ビデオ信号の色空間領域が再生装置の色空間領域の内部にくるようにマッピング処理が行われることで、ビデオ信号が再生装置に適合するようにされる。
【００９５】
図１３は、従来行われている、再生装置の色空間領域の境界にクリッピングする例を示している。「●」は入力されたビデオ信号を構成する画素が持つ色情報で、「○」はクリッピングされた後の色情報を示している。これに対して、図１４は、色空間識別子に含まれる情報に基づき、再生装置の色空間領域に応じてマッピングする例を示している。「●」は入力されたビデオ信号を構成する画素が持つ色情報で、「○」はマッピングされた後の色情報を示している。この例では、入力されたビデオ信号を構成する画素が持つ色情報のうち、再生装置の色空間領域の外にある色情報は、入力されたビデオ信号の色空間領域の境界線と平行な直線と再生装置の色空間領域の境界との交点にマッピングされている。
【００９６】
図１５は、この発明の他の実施の形態としてのビデオシステム２００の構成を示している。この図１５において、図１と対応する部分には同一符号を付して示している。このビデオシステム２００は、記録装置を構成するカメラ２０１と、再生装置を構成するプレーヤ２０２と、画像表示装置としてのテレビ２０３とを備えている。プレーヤ２０２およびテレビ２０３はＬＡＮ等のネットワーク２０４を介して接続されている。
【００９７】
カメラ２０１は、詳細説明は省略するが、上述の図１に示す撮像装置１００と同様に構成されている。なお、このビデオシステム２００においては、ビデオ信号および色空間識別子が対応付けて記録された記録媒体１３５をプレーヤ２０２に装着して使用する。
【００９８】
プレーヤ２０２は、記録媒体１３５を装着し、当該記録媒体１３５からビデオ信号および色空間識別子を再生する再生部２０２ａと、当該再生されたビデオ信号および色空間識別子を、ネットワーク２０４を介してテレビ２０３に転送する外部Ｉ／Ｆ（ネットワークインタフェース）１３９とを有している。この場合、カメラ２０１において色空間識別子をネットワークインタフェースの出力形態に適合した形式で生成して記録媒体１３５に記録しておくことで、外部Ｉ／Ｆ１３９は、再生部２０２ａにより記録媒体１３５から再生された色空間識別子を、所定の転送タイミングでそのままの形式でネットワーク２０４に送出することが可能となる。ネットワーク２０４上でのデータの概念図は、図１０で示した通りである。
【００９９】
テレビ２０３は、プレーヤ２０２から転送されてきたビデオ信号および色空間識別子を用いて、画像を表示する。テレビ２０３は、ビデオ信号と共に送られてくる色空間識別子に含まれる情報に基づいて、ビデオ信号を構成する画素が持つ色情報を、当該テレビ２０３の色空間領域に応じてマッピングし（図１４参照）、ビデオ信号が持つ本来の色を忠実に再現する。
【０１００】
なお、テレビ２０３では、プレーヤ２０２の外部Ｉ／Ｆ１３９から所定の転送タイミングで送信された色空間識別子を取得し、当該取得された色空間識別子に対応したマッピング処理を行う。そのため、テレビ２０３では、色空間が異なっている複数のビデオ信号が結合されたビデオ信号が送られてくる場合等でも問題がなく、ビデオ信号が持つ本来の色を忠実に再現できる。
【０１０１】
図１６のフローチャートは、テレビ２０３におけるマッピング処理の変更手順を示している。テレビ２０３は、ステップＳＴ１１で処理を開始し、ステップＳＴ１２に移る。このステップＳＴ１２において、テレビ２０３は、色空間識別子が転送されてきたか否かを判別する。テレビ２０３は、色空間識別子が転送されてきたときは、ステップＳＴ１３に移る。
【０１０２】
テレビ２０３は、ステップＳＴ１３において、色空間識別子を取得する。そして、テレビ２０３は、ステップＳＴ１４に移り、ステップＳＴ１３で取得した色空間識別子に基づいたマッピング処理が行われるように、マッピング処理を変更する。テレビ２０３は、ステップＳＴ１４の後に、ステップＳＴ１２に戻り、次の色空間識別子の転送判別に移る。
【０１０３】
上述の実施の形態によれば、撮像ビデオ信号を処理して得られた所定色空間に対応したビデオ信号を記録媒体１３５に記録する際、当該所定色空間を示す情報を含む色空間識別子を生成してビデオ信号に対応付けて記録するものであり、記録されたビデオ信号が持つ本来の色を再生装置において忠実に再現できる。
【０１０４】
また、上述の実施の形態によれば、ビデオストリームのＳＰＳ  ＮＡＬユニットが含まれるアクセスユニット（ビデオ信号の所定位置）に対応して色空間識別子が存在するため、色空間の異なる複数のビデオ信号を結合したビデオ信号をテレビ等で再生する場合でも問題がなく、従って、分割・結合等の編集性能が向上する。
【０１０５】
また、上述の実施の形態によれば、色空間識別子には、色空間を示す情報と共に、ビデオ信号の色域に関する情報（例えば、色域の最大値および最小値）が含まれるものであり、ネットワークを介して接続された再生装置（例えば、図１５に示すテレビ２０３等）では、当該色域に関する情報をビデオ信号から取得する処理を行うことなく当該色域に関する情報を用いることができ、当該再生装置に適合したマッピング処理を容易に行うことができる。
【０１０６】
また、上述実施の形態によれば、ＳＰＳ  ＮＡＬユニットを含むアクセスユニットに色空間識別子が挿入されるものであり、当該アクセスユニットを読み出すことにより、シーケンスパラメータセットおよび色空間識別子を、つまり関連した色情報を一括して読み出すことができ、ビデオ信号を記録する記録装置（例えば、図１５に示すカメラ２０１等）で再生する場合や、再生装置（例えば、図１５に示すプレーヤ２０２等）において、必要な情報アクセス時間を短縮できる。
【０１０７】
また、上述実施の形態によれば、ｓＲＧＢ色空間が選択されるときは色空間識別子が生成されず、拡張ｓＲＧＢ色空間が選択されるときは色空間識別子が生成されるものであり、特定の色空間としてのｓＲＧＢ色空間のビデオ信号が記録される従来のもの（色空間識別子は記録されていない）との互換性を保つことができる。
【０１０８】
また、上述実施の形態によれば、色空間識別子はネットワークインタフェースの出力形態に適合した形式で生成されて記録媒体１３５に記録されるものであり、当該色空間識別子をビデオ信号と共にネットワークに送出する際には、そのままの形式で送出でき、変換ブロック等が不要となる。
【０１０９】
なお、上述実施の形態においては、色空間識別子に含める赤(R)、緑(G)、青(B)の各色の色域に関する情報を、当該色空間識別子が格納されたＳＥＩＮＡＬユニットを含めるアクセスユニット内のCoded Slice NALユニットのピクチャから計算して求めている。
【０１１０】
しかし、記録能力の低いモバイル機器の場合は、ＳＥＩＮＡＬユニットが付加されるアクセスユニットに対応するピクチャから各色の色域に関する情報を計算で求めることが困難な場合が多い。
【０１１１】
そこで、例えば、図１に示す撮像装置１００において、フラッシュＲＯＭ１２３等に、当該撮像装置１００が対応している各色空間（ｓＲＧＢ色空間、拡張ｓＲＧＢ色空間）における赤(R)、緑(G)、青(B)の各の色域に関する情報（例えば、色域の最大値、最小値）を格納しておき、ＣＰＵ１２１は、色空間識別子を生成する際に、当該フラッシュＲＯＭ１２３等から各色域に関する情報を読み出して用いるようにしてもよい。
【０１１２】
この場合、ＳＰＳ ＮＡＬユニットを含むアクセスユニット毎に、ＳＥＩＮＡＬユニットを用いて付加される色空間識別子は、ビデオ信号が記録されている間、ユーザが、色空間の指定を変更しない限り、同じものとなる。この場合においても、再生装置が当該色空間識別子に基づいて、入力されたビデオ信号の色空間情報、色域に関する情報等を認識できるので、当該ビデオ信号を自装置に適した状態で使用でき、ビデオ信号が持つ本来の色を忠実に再現することが可能となる。
【０１１３】
また、上述実施の形態においては、エンコード／デコード部１３２でＭＰＥＧ４−ＡＶＣ規格のデータ圧縮処理が行われ、色空間識別子が格納されたＳＥＩＮＡＬユニットを、ＳＰＳ ＮＡＬユニットを含むアクセスユニットに含めるものを示した。しかし、一般に、ビデオ信号に、複数のアクセスユニットが連続したストリーム構成を得ると共に、所定数のアクセスユニットにより構成されるシーケンス毎に当該シーケンスの色情報を含むシーケンスパラメータセットを有する構成とするための所定のデータ圧縮処理を施すものにあっては、シーケンスパラメータセットを含むアクセスユニットに色空間識別子を含める構成とすることで、同様の効果を得ることができる。
【０１１４】
なお、色空間識別子が含められるアクセスユニットは、ＳＰＳＮＡＬユニットを含むアクセスユニットに限定されるものではない。例えば、色空間識別子が含められるアクセスユニットを、ＳＰＳ ＮＡＬユニットを含むアクセスユニットとは無関係に、間欠的に配置された所定のアクセスユニットとしてもよい。例えば、図４Ｂ(ａ)に「◎」印を付して示すように、色空間識別子が含められるアクセスユニットを、ＳＰＳＮＡＬユニットを含むアクセスユニットと、さらにその他の所定数毎のアクセスユニットとしてもよい。この場合、全てのアクセスユニットにＳＥＩ ＮＡＬユニットを含めるものではなく、冗長度を軽減できる。
【０１１５】
また、例えば、色空間識別子が格納されたＳＥＩＮＡＬユニットを含めるアクセスユニットを全てのアクセスユニットとしてもよい。この場合、冗長度は高くなるが、ビデオ信号はアクセスユニット毎に色域に関する情報を持つことになるので、再生装置における色再現性の精度を高くできる。
【０１１６】
また、上述では、拡張ｓＲＧＢ色空間の例として、図１７ａ〜図１７ｄに「☆」印で示す色空間領域を持つもの、および図１８ａ〜図１８ｄに「○」印で示す色空間領域を持つものの２つを示したが、拡張ｓＲＧＢ色空間はこれらに限定されるものではなく、その他の色空間領域を持つものであってもよい。
【０１１７】
また、上述実施の形態においては、ユーザの指定に基づいてＣＰＵ１２１が選択し得る色空間がｓＲＧＢ色空間および拡張ｓＲＧＢ色空間の２つであるものを示したが、さらに多くの色空間から任意の色空間を選択できるものにも、この発明を同様に適用できる。その場合において、特定の色空間が選択された場合には、色空間識別子を生成して付加することを省略できる。
【産業上の利用可能性】
【０１１８】
この発明は、記録されたビデオ信号が持つ本来の色を再生装置において忠実に再現できるように当該ビデオ信号を記録媒体に記録できるものであり、例えば、撮像ビデオ信号をＭＰＥＧ４−ＡＶＣ規格でデータ圧縮して記録媒体に記録する撮像装置等に適用できる。
【図面の簡単な説明】
【０１１９】
【図１】実施の形態としての撮像装置の構成を示すブロック図である。
【図２】撮像装置における信号処理部の構成を示すブロック図である。
【図３】撮像素子の前面に配される４色カラーフィルタの色配列を示す図である。
【図４Ａ】ＭＰＥＧ４−ＡＶＣ規格の概要を説明するための図である。
【図４Ｂ】分割編集時におけるビデオストリームの分割例を示した図である。
【図５】色空間を示す情報等を含む色空間識別子の構造例を示す図である。
【図６】ネットワークインタフェースＡにおける色空間識別子の構造を示す図である。
【図７】ネットワークインタフェースＢにおける色空間識別子の構造を示す図である。
【図８】再生時における再生画像（色空間を示すアイコン）の表示例を示す図である。
【図９】色空間識別子の読み取り転送フローを示す図である。
【図１０】転送路上でのデータ例を示す図である。
【図１１】撮像時（記録時）における、色空間識別子の記録手順を示すフローチャートである。
【図１２】再生装置における色領域マッピングの概念を示す図である。
【図１３】再生装置の色空間領域の境界へクリッピングする例を示す図である。
【図１４】再生装置の色空間領域に応じてマッピングする例を示す図である。
【図１５】他の実施の形態としてのビデオシステムの構成を示すブロック図である。
【図１６】テレビにおけるマッピング処理の変更手順を示すフローチャートである。
【図１７ａ】主白色光源に補助光源を付加した場合の色再現範囲を示した図である。
【図１７ｂ】図１７ａにおける緑色（Ｇ）領域の色域を拡大して示した図である。
【図１７ｃ】図１７ａにおける青色（Ｂ）領域の色域を拡大して示した図である。
【図１７ｄ】図１７ａにおける赤色（Ｒ）領域の色域を拡大して示した図である。
【図１８ａ】カラーフィルタを改善した場合の色再現範囲を示した図である。
【図１８ｂ】図１８ａにおける緑色（Ｇ）領域の色域を拡大して示した図である。
【図１８ｃ】図１８ａにおける青色（Ｂ）領域の色域を拡大して示した図である。
【図１８ｄ】図１８ａにおける赤色（Ｒ）領域の色域を拡大して示した図である。
【符号の説明】
【０１２０】
１００・・・撮像装置、１１０・・・カメラ部、１１１・・・レンズブロック、１１２・・・撮像素子、１１３・・・前処理回路、１１４・・・光学ブロック用ドライバ、１１５・・・撮像素子用ドライバ、１１６・・・タイミング生成回路、１２０・・・制御部、１２１・・・ＣＰＵ、１２２・・・ＲＡＭ、１２３・・・フラッシュＲＯＭ、１２４・・・時計回路、１２５・・・システムバス、１３１・・・信号処理部、１３２・・・エンコード／デコード部、１３３・・・ＳＤＲＡＭ、１３４・・・媒体インタフェース、１３５・・・記録媒体、１３６・・・操作部、１３７・・・ＬＣＤコントローラ、１３８・・・ＬＣＤ、１３９・・・外部インタフェース、１５１・・・オフセット補正処理部、１５２・・・ホワイトバランス補正処理部、１５３・・・垂直方向同時化処理部、１５４・・・処理部、１５５・・・リニアマトリクス処理部、１５６Ｒ〜１５６Ｂ・・・ガンマ補正処理部、１５７・・・輝度信号生成処理部、１５８・・・色差信号生成処理部、１５９・・・帯域制限・間引き処理部、２００・・・ビデオシステム、２０１・・・カメラ、２０２・・・プレーヤ、２０２ａ・・・再生部、２０３・・・テレビ、２０４・・・ネットワーク
【図１】
2008136025.tif 000003
【図２】
2008136025.tif 000004
【図３】
2008136025.tif 000005
【図４Ａ】
2008136025.tif 000006
【図４Ｂ】
2008136025.tif 000007
【図５】
2008136025.tif 000008
【図６】
2008136025.tif 000009
【図７】
2008136025.tif 000010
【図８】
2008136025.tif 000011
【図９】
2008136025.tif 000012
【図１０】
2008136025.tif 000013
【図１１】
2008136025.tif 000014
【図１２】
2008136025.tif 000015
【図１３】
2008136025.tif 000016
【図１４】
2008136025.tif 000017
【図１５】
2008136025.tif 000018
【図１６】
2008136025.tif 000019
【図１７ａ】
2008136025.tif 000020
【図１７ｂ】
2008136025.tif 000021
【図１７ｃ】
2008136025.tif 000022
【図１７ｄ】
2008136025.tif 000023
【図１８ａ】
2008136025.tif 000024
【図１８ｂ】
2008136025.tif 000025
【図１８ｃ】
2008136025.tif 000026
【図１８ｄ】
2008136025.tif 000027